(57)【要約】【課題】回転体及び装置本体の洗浄を簡易に行え、かつ、十分な洗浄を行うことの可能なマッサージ装置を提供すること。【解決手段】回転軸Ａを中心にこの回転軸回りに回転自在に支持され、少なくともその一部が人体に接することでこの人体をマッサージする回転体（羽根部材２）と、回転体２が収納される中空な収納部（内部筐体８）、及び、回転体２に回転軸回りの回転駆動力を付与する駆動部（ギア９、モーター１０）を有する装置本体３とを有するマッサージ装置において、駆動部９、１０は、収納部８の壁部８ｃを挟んで回転体２と略対向する位置に回転軸回りに回転駆動される第１の磁性部材（永久磁石１１）を有し、回転体２は、収納部８の壁部８ｃを挟んで第１の磁性部材（永久磁石１１）と対向する位置に第２の磁性部材（永久磁石６）を有する。【選択図】  図３
2018175245.tif 000002
【特許請求の範囲】
【請求項１】
回転軸を中心にこの回転軸回りに回転自在に支持され、少なくともその一部が人体に接することでこの人体をマッサージする回転体と、
前記回転体が収納される中空な収納部、及び、前記回転体に前記回転軸回りの回転駆動力を付与する駆動部を有する装置本体と
を有するマッサージ装置であって、
前記駆動部は、前記収納部の壁部を挟んで前記回転体と対向する位置に前記回転軸回りに回転駆動される第１の磁性部材を有し、
前記回転体は、前記収納部の前記壁部を挟んで前記第１の磁性部材と対向する位置に第２の磁性部材を有する
ことを特徴とするマッサージ装置。
【請求項２】
前記駆動部は、前記回転軸回りに回転自在に支持された駆動回転部とこの駆動回転部を前記回転軸回りに回転駆動させる回転駆動部とを有し、
前記第１の磁性部材は前記駆動回転部の前記回転軸を中心にして点対称となる位置に複数設けられ、
前記第２の磁性部材は前記収納部の前記壁部を挟んで複数の前記第１の磁性部材とそれぞれ対向する位置に複数設けられている
ことを特徴とする請求項１に記載のマッサージ装置。
【請求項３】
前記回転体は、前記第２の磁性部材が設けられた軸部と、この軸部から前記回転軸に直交する方向に向かって突出する複数の羽根部とを有することを特徴とする請求項１または２に記載のマッサージ装置。
【請求項４】
前記軸部には前記収納部の前記壁部に当接する位置に摩擦低減材が設けられていることを特徴とする請求項３に記載のマッサージ装置。
【請求項５】
前記回転体は、前記第２の磁性部材が設けられた本体部と、この本体部から前記回転軸に沿った方向に向かって突出する突起部とを有することを特徴とする請求項１または２に記載のマッサージ装置。
【請求項６】
前記回転体は前記収納部から取出自在に設けられていることを特徴とする請求項１〜５のいずれかに記載のマッサージ装置。
【請求項７】
前記装置本体は水密性を有することを特徴とする請求項１〜６のいずれかに記載のマッサージ装置。
【発明の詳細な説明】
【技術分野】
【０００１】
この発明は、回転軸回りに回転自在に支持された回転体と、この回転体に回転軸回りの回転駆動力を付与する駆動部を有する装置本体とを有するマッサージ装置に関する。
【背景技術】
【０００２】
女性器に当接させてこの女性器に継続的な刺激を付与するマッサージ装置は既知である。このようなマッサージ装置の中には、羽根をモーター等の駆動部で回転駆動し、この羽根を女性器に当接させてマッサージ効果を得るものも知られている（例えば非特許文献１参照）。
【先行技術文献】
【非特許文献】
【０００３】
“スクイール２”，［online］，［平成２９年４月１０日検索］，インターネット＜URL：https://www.e-nls.com/pict1-33720?c2=9999＞
【発明の概要】
【発明が解決しようとする課題】
【０００４】
しかしながら、羽根を回転させる形式の従来のマッサージ装置では、羽根から突出する回転軸部材を装置本体に設けられた貫通孔にはめ込み、この回転軸部材を駆動部が回転駆動する構成であったため、羽根を回転軸部材とともに装置本体から取り外して羽根を洗浄することは可能であったが、羽根を取り外した際に装置本体の駆動部がこの貫通孔から露出してしまう。
従って、装置本体を洗浄するとこの貫通孔から水などの洗浄液が内部に浸入してしまうため、装置本体を洗浄液に漬けて洗浄することは困難であった。また、流水等により装置本体を洗浄する場合でも、貫通孔から洗浄液が浸入しないように注意して洗浄する必要があった。
【０００５】
そこで、この発明は、回転体及び装置本体の洗浄を簡易に行え、かつ、十分な洗浄を行うことの可能なマッサージ装置を提供することを目的とするものである。
【課題を解決するための手段】
【０００６】
この目的を達成するため、この発明は、回転軸を中心にこの回転軸回りに回転自在に支持され、少なくともその一部が人体に接することでこの人体をマッサージする回転体と、回転体が収納される中空な収納部、及び、回転体に回転軸回りの回転駆動力を付与する駆動部を有する装置本体とを有するマッサージ装置において、駆動部は、収納部の壁部を挟んで回転体と略対向する位置に回転軸回りに回転駆動される第１の磁性部材を有し、回転体は、収納部の壁部を挟んで第１の磁性部材と対向する位置に第２の磁性部材を有することを特徴とする。
【０００７】
ここで、駆動部は、回転軸回りに回転自在に支持された駆動回転部とこの駆動回転部を回転軸回りに回転駆動させる回転駆動部とを有し、第１の磁性部材は駆動回転部の回転軸を中心にして点対称となる位置に複数設けられ、第２の磁性部材は収納部の壁部を挟んで複数の第１の磁性部材とそれぞれ略対向する位置に複数設けられているとよい。
【０００８】
また、回転体は、第２の磁性部材が設けられた軸部と、この軸部から回転軸に直交する方向に向かって突出する複数の羽根部とを有するとよい。
【０００９】
さらに、軸部には収納部の壁部に当接する位置に摩擦低減材が設けられているとよい。
【００１０】
また、回転体は、第２の磁性部材が設けられた本体部と、この本体部から回転軸に沿った方向に向かって突出する突起部とを有するとよい。
【００１１】
さらに、回転体は収納部から取出自在に設けられているとよい。
【００１２】
そして、装置本体は水密性を有するとよい。
【発明の効果】
【００１３】
このような本発明のマッサージ装置において、駆動部は、収納部の壁部を挟んで回転体と対向する位置に回転軸回りに回転駆動される第１の磁性部材を有し、回転体は、収納部の壁部を挟んで第１の磁性部材と略対向する位置に第２の磁性部材を有する。
【００１４】
上記した構成なので、従来のマッサージ装置のように、回転体に回転軸部材を設けてこの回転軸部材をはめ込みための貫通孔を装置本体に設ける必要がなくなり、回転体を装置本体から容易に取り外すことができる。これにより、回転体及び装置本体の洗浄を簡易に行え、かつ、十分な洗浄を行うことができる。
【００１５】
ここで、駆動部が、回転軸回りに回転自在に支持された駆動回転部とこの駆動回転部を回転軸回りに回転駆動させる回転駆動部とを有し、第１の磁性部材が駆動回転部の回転軸を中心にして点対称となる位置に複数設けられ、第２の磁性部材が収納部の壁部を挟んで複数の第１の磁性部材とそれぞれ略対向する位置に複数設けられている場合は、これら第1及び第２の磁性部材間の磁力を吸引力として用いることができ、収納部の壁部を隔てた状態でも回転体を確実に回転駆動させることができる。これにより、マッサージ装置としての機能を維持したまま、回転体及び装置本体の洗浄を簡易に行え、かつ、十分な洗浄を行うことができる。
【００１６】
また、回転体が、第２の磁性部材が設けられた軸部と、この軸部から回転軸に直交する方向に向かって突出する複数の羽根部とを有する場合、この羽根部により十分なマッサージ効果が得られるとともに、羽根部に第２の磁性部材を設けずに済むことから、この羽根部に柔軟な部材を使用することが可能になる。これにより、マッサージ装置としての機能をさらに維持したまま、回転体及び装置本体の洗浄を簡易に行え、かつ、十分な洗浄を行うことができる。
【００１７】
さらに、軸部の収納部の壁部に当接する位置に摩擦低減材が設けられている場合は、回転体の軸部が収納部の壁部に当接していてもこの回転体の回転に伴う抵抗を低減することができ、収納部の壁部を隔てた状態でも回転体を確実に回転駆動させることができる。これにより、マッサージ装置としての機能をさらに維持したまま、回転体及び装置本体の洗浄を簡易に行え、かつ、十分な洗浄を行うことができる。
【００１８】
また、回転体が、第２の磁性部材が設けられた本体部と、この本体部から回転軸に沿った方向に向かって突出する突起部とを有する場合も、この突起部により十分なマッサージ効果が得られるとともに、突起部に第２の磁性部材を設けずに済むことから、この突起部に柔軟な部材を使用することが可能になる。これにより、マッサージ装置としての機能をさらに維持したまま、回転体及び装置本体の洗浄を簡易に行え、かつ、十分な洗浄を行うことができる。
【００１９】
さらに、回転体が収納部から取出自在に設けられている場合は、この回転体を装置本体から取り出すことが可能となり、これにより、回転体及び装置本体の洗浄を簡易に行え、かつ、十分な洗浄を行うことができる。
【００２０】
そして、装置本体が水密性を有する場合、装置本体を洗浄液等に浸漬して洗浄することができる。これにより、回転体及び装置本体の洗浄をより簡易に行え、かつ、さらに十分な洗浄を行うことができる。
【図面の簡単な説明】
【００２１】
【図１】第１実施例のマッサージ装置を示す平面図である。
【図２】第１実施例のマッサージ装置の装置本体のうち、駆動部を取り出して示した斜視図である。
【図３】第１実施例のマッサージ装置の駆動部及び回転体を示す分解図である。
【図４】第１実施例のマッサージ装置から回転体を取り出した状態を示す斜視図である。
【図５】図１のＡ−Ａ線矢視断面図である。
【図６】第２実施例のマッサージ装置を示す正面図である。
【図７】第２実施例のマッサージ装置の分解図である。
【図８】第２実施例のマッサージ装置の縦断面図である。
【発明を実施するための形態】
【００２２】
以下、この発明の実施の形態を図面に基づいて説明する。
［第１実施例］
【００２３】
図１は第１実施例のマッサージ装置を示す平面図、図２は第１実施例のマッサージ装置の装置本体のうち、駆動部を取り出して示した斜視図、図３は第１実施例のマッサージ装置の駆動部及び回転体を示す分解図、図４は第１実施例のマッサージ装置から回転体を取り出した状態を示す斜視図、図５は図１のＡ−Ａ線矢視断面図である。
【００２４】
これら図１〜図５に示すように、本実施例のマッサージ装置１は、羽根部材２（回転体）と、この羽根部材２が収納される装置本体３とを有する。
【００２５】
羽根部材２は、図３に最もよく示すように、円筒状の本体部４（軸部）とこの本体部４の周面から側方に突出する複数の羽根部５とを有する。本体部４は、例えば円筒状に形成されたシリコンゴム等の弾性部材で形成されている。羽根部５は同様にシリコンゴム等の弾性部材からなり、本体部４の弾性部材と一体に形成されている。なお、本体部４を、プラスチック等の硬質部材の外周をシリコンゴム等の弾性部材で覆って形成してもよい。
【００２６】
本実施例のマッサージ装置１では、羽根部材２を上から見た状態で、羽根部５は本体部４の中心軸Ａ（図３参照）回りに略９０度の間隔を置いて４枚設けられている。
【００２７】
本体部４には、図３における上面部において、本体部４の中心軸Ａ回りに点対称となる位置に一対の孔４ａが形成され、これら孔４ａには略円筒状の永久磁石（第２の磁性部材）６がそれぞれはめ込まれている。また、本体部４の上面には、永久磁石６がはめ込まれた状態で円板状の摩擦低減シート７が貼付されている。
【００２８】
摩擦低減シート７は、例えばフッ素樹脂を平板状に形成したものである。なお、フッ素樹脂以外の摩擦低減材から摩擦低減シート７を形成してもよい。
【００２９】
装置本体３は、羽根部材２が収納される中空な内部筐体８（収納部）と、この内部筐体８の図２及び図３において上部に設けられた円板状のギア９（駆動回転部）と、このギア９を回転駆動するモーター１０（回転駆動部）とを有する。
【００３０】
内部筐体８は、図２、図３及び図５に示すように、上から見た状態で円形の一部を切り欠いた形状に形成され、図５に示す断面においてコ字状に形成されることで、内部に羽根部材２を収納する収納空間Ｓを有する中空の形状に形成されている。この内部筐体８は、図２及び図５において左側部に扁平な長円形の開口部８ａを有し、この開口部８ａを通して羽根部材２が取出自在に設けられている。内部筐体８は、例えばプラスチック等の硬質部材から形成されている。
【００３１】
この内部筐体８の図２及び図３において上部には、上部が開放された円形状のギア受け部材８ｂが突設され、ギア９はこのギア受け部材８ｂの中に回転可能に収納されている。ギア受け部材８ｂは、羽根部材２が内部筐体８の収納空間Ｓに収納された状態で、その中心軸が羽根部材２の本体部４の中心軸Ａと一致するように形成されている。従って、ギア９は、羽根部材２の中心軸Ａを回転軸として回転自在に支持されている。
【００３２】
ギア９は、円板状に形成された本体部９ａの上面の周縁部に四角錐状の歯部９ｂが多数突設されて形成されている。ギア９の本体部９ａには、図３に示すように、内部筐体８の壁部８ｃを挟んで羽根部材２の永久磁石６に略対向する位置に、同様に一対の永久磁石（第１の磁性部材）１１がはめ込まれている。従って、これら一対の永久磁石１１は、ギア９の回転軸Ｂを中心として点対称となる位置に設けられている。
【００３３】
なお、羽根部材２に設けられた永久磁石６とギア９に設けられた永久磁石１１とは、内部筐体８の壁部８ｃを挟んで対向した際に、壁部８ｃに接する面の磁極が互いに異なるように配置されている。
【００３４】
また、内部筐体８の図２及び図３において上部には、上部が開放された箱状のモーター支持部８ｄが突設され、モーター１０は、その回転軸１０ａがギア９の上方に延びるように、このモーター支持部８ｄに支持されている。モーター１０の回転軸１０ａの先端部には、ギア９の歯部９ｂに噛み合い可能なギア１２が設けられており、これにより、モーター１０の回転駆動力がギア１２を介してギア９に伝達される。
【００３５】
モーター１０には、電源ケーブル１３を介して駆動電力が供給され、これによりモーター１０が回転駆動される。ここで、ギア９、モーター１０及びギア１２により本実施例の駆動部が構成されている。
【００３６】
図５に示すように、内部筐体８の外側には、プラスチック等の硬質部材からなる外部筐体１４が被せられ、これら内部筐体８及び外部筐体１４の間に形成される中空空間内にギア９及びモーター１０が収納されている。そして、外部筐体１４の外側にはシリコンゴム等の弾性部材からなる外カバー１５が形成され、この外カバー１５はこれら内部筐体８及び外部筐体１４との接合部を覆っている。これにより、内部筐体８の壁部８ｃ内面が硬質部材とされたまま、装置本体３が水密性を有するように構成されている。
＜第１実施例の動作及び効果＞
【００３７】
以上説明した本実施例のマッサージ装置１は、羽根部材２を装置本体３の内部筐体８に形成された収納空間Ｓ内に挿入すると、羽根部材２の永久磁石６とギア９の永久磁石１１とが互いの磁力により引き合い、図５に示すように、ギア９の回転軸Ｂと羽根部材２の中心軸Ａとが一致する位置で、羽根部材２が内部筐体８の収納空間Ｓ内に収納される。
【００３８】
また、羽根部材２が内部筐体８内に収納されると、永久磁石６と永久磁石１１との間の磁力により、摩擦低減シート７が内部筐体８の壁部８ｃ内面に当接した状態で羽根部材２が内部筐体８内に支持される。従って、内部筐体８内に収納された状態で、羽根部材２はその本体部４の中心軸Ａ（これはギア９の回転軸Ｂと一致している）回りに回転可能に支持されている。従って、羽根部材２の中心軸Ａはこの羽根部材２の回転軸でもある。
【００３９】
そして、この状態で、電源ケーブル１３を介してモーター１０に駆動電力を供給すると、モーター１０の回転軸１０ａが回転駆動され、この回転駆動力がギア１２を介してギア９に伝達され、このギア９が回転軸Ｂを中心に回転される。ギア９と羽根部材２とは磁力により互いに引き合っているので、ギア９が回転されるとこれに連れて羽根部材２も回転軸Ａを中心に回転される。これにより、モーター１０の回転駆動力が羽根部材２に伝達され、羽根部材２が内部筐体８内において回転される。
【００４０】
この際、羽根部５を人体に当接していれば、羽根部材２が回転されることで羽根部５により人体に所定のマッサージを行うことができる。
【００４１】
マッサージ装置１によるマッサージが終了したら、ユーザーが羽根部材２を内部筐体８から引き抜く力を加えると、羽根部材２とギア１２とは磁力により引き合っているだけであり、加えて、摩擦低減シート７が内部筐体８の壁部８ｃの内面に当接しているので、図４に示すように、羽根部材２を装置本体３から容易に取り出すことができる。加えて、内部筐体８の壁部８ｃ内面及び羽根部材２には大きな突起物もないので、内部筐体８の内部、及び羽根部材２を容易に洗浄することができる。
【００４２】
以上説明したように、本実施例のマッサージ装置１において、羽根部材２に回転駆動力を付与する駆動部は、内部筐体８の壁部８ｃを挟んで羽根部材２と対向する位置に回転軸Ｂ回りに回転駆動される永久磁石１１を有し、羽根部材２は、内部筐体８の壁部８ｃを挟んで永久磁石１１と略対向する位置に永久磁石６を有しており、羽根部材２は永久磁石６、１１の磁力により内部筐体８内に回転自在に支持されているので、従来のマッサージ装置のように、回転体に回転軸部材を設けてこの回転軸部材をはめ込みための貫通孔を装置本体に設ける必要がなくなり、羽根部材２を装置本体３から容易に取り外すことができる。これにより、羽根部材２及び装置本体３の洗浄を簡易に行え、かつ、十分な洗浄を行うことができる。
【００４３】
ここで、駆動部が回転軸回りに回転自在に支持されたギア９とこのギア９を回転軸Ｂ回りに回転駆動させるモーター１０とを有し、永久磁石１１がギア９の回転軸Ｂを中心にして点対称となる位置に複数設けられ、永久磁石６が内部筐体８の壁部８ｃを挟んで複数の永久磁石１１とそれぞれ略対向する位置に複数設けられているので、これら永久磁石６、１１間の磁力を吸引力として用いることができ、内部筐体８の壁部８ｃを隔てた状態でも羽根部材２を確実に回転駆動させることができる。これにより、マッサージ装置１としての機能を維持したまま、羽根部材２及び装置本体３の洗浄を簡易に行え、かつ、十分な洗浄を行うことができる。
【００４４】
また、羽根部材２が、永久磁石６が設けられた本体部４と、この本体部４から回転軸Ａに直交する方向に向かって突出する複数の羽根部５とを有しているので、この羽根部５により十分なマッサージ効果が得られるとともに、羽根部５に永久磁石６を設けずに済むことから、この羽根部５に柔軟な部材を使用することが可能になる。これにより、マッサージ装置１としての機能をさらに維持したまま、羽根部材２及び装置本体３の洗浄を簡易に行え、かつ、十分な洗浄を行うことができる。
【００４５】
さらに、本体部４の内部筐体８の壁部８ｃに当接する位置に摩擦低減シート７が設けられているので、羽根部材２の本体部４が内部筐体８の壁部８ｃに当接していてもこの羽根部材２の回転に伴う抵抗を低減することができ、内部筐体８の壁部８ｃを隔てた状態でも羽根部材２を確実に回転駆動させることができる。これにより、マッサージ装置１としての機能をさらに維持したまま、羽根部材２及び装置本体３の洗浄を簡易に行え、かつ、十分な洗浄を行うことができる。
【００４６】
さらに、羽根部材２が内部筐体８から取出自在に設けられているので、羽根部材２及び装置本体３の洗浄を簡易に行え、かつ、十分な洗浄を行うことができる。
【００４７】
そして、装置本体３が水密性を有するので、装置本体３を洗浄液等に浸漬して洗浄することができる。これにより、羽根部材２及び装置本体３の洗浄をより簡易に行え、かつ、さらに十分な洗浄を行うことができる。
［第２実施例］
【００４８】
図６は第２実施例のマッサージ装置を示す正面図、図７は第２実施例のマッサージ装置の分解図、図８は第２実施例のマッサージ装置の縦断面図である。
【００４９】
これら図６〜図８に示すように、本実施例のマッサージ装置２０は、略円筒状のアタッチメント２１（回転体）とこのアタッチメント２１が収納される装置本体２２とを有する。
【００５０】
アタッチメント２１は、図７及び図８に示すように、円板状のフレーム２３（軸部）と、このフレーム２３の図中下面に取り付けられたアタッチメント本体２４とを有する。フレーム２３及びアタッチメント本体２４は、例えば熱可塑性エラストマー等の弾性部材からなる。なお、フレーム２３をプラスチック等の硬質部材から形成してもよい。
【００５１】
このアタッチメント本体２４は、図８に最もよく示すように、フレーム２３の外周にはめ込まれる外形円筒状のはめ込み部２４ａと、このはめ込み部２４ａから図中下方に延びる複数の突起部２４ｂとを有する。
【００５２】
突起部２４ｂは略円棒状に形成され、はめ込み部２４ａの下部に多数植設されている。この突起部２４ｂは、フレーム２３の中心軸Ｃ（図７参照）回りに沿った方向に沿って延びている。
【００５３】
フレーム２３には、図７及び図８における下面において、フレーム２３の中心軸Ｃ回りに点対称となる位置に、一対の略円筒状の永久磁石（第２の磁性部材）２５が設けられている。
【００５４】
装置本体２２は、アタッチメント２１が収納されるカップ２６（収納部）と、このカップ２６の図７及び図８において上部に設けられたローラー２９（駆動回転部）と、このローラー２９を回転駆動するモーター３２（回転駆動部）とを有する。
【００５５】
カップ２６は、図６〜図８に示すように、下方が開口された略椀状に形成されることで、内部にアタッチメント２１を収納する収納空間Ｓを有する中空の形状に形成されている。カップ２６は、例えばシリコンゴム等の弾性部材から形成されている。
【００５６】
カップ２６の図中上部には内部筐体２７が設けられている。この内部筐体２７は、図７に最もよく示すように、略円筒状の内部筐体本体２７ａと、この本体２７ａの上部及び下部にそれぞれ形成されたフランジ部２７ｂ、２７ｃとを有する。カップ２６の上部には貫通孔２６ａが形成されているとともに、この貫通孔２６ａの周囲には、内部筐体２７のフランジ部２７ｃに対応する大きさに形成された円板状の取付部２６ｂが形成されている。
【００５７】
カップ２６は、内部筐体２７のフランジ部２７ｃと円環板状に形成されたカップホルダー２８とにより挟まれ、これらフランジ部２７ｃとカップホルダー２８とがネジ止めされることで、カップ２６が内部筐体２７とカップホルダー２８とにより挟持、固定されている。
【００５８】
また、内部筐体２７のフランジ部２７ｃが設けられた側の下部端面には壁部２７ｄが設けられることでこの端面が塞がれている。この内部筐体２７は、例えばプラスチック等の硬質部材からなる。
【００５９】
ローラー２９は、図７に最もよく示すように、略円筒状のローラー本体２９ａと、この本体２９ａの下部端面を塞いでなる壁部２９ｂとを備える。ローラー本体２９ａは、図８に最もよく示すように、内部筐体２７の本体２７ａの内面にほぼはまり込む大きさに形成されている。
【００６０】
ローラー２９は、アタッチメント２１がカップ２６の収納空間Ｓに収納された状態で、その中心軸がアタッチメント２１のフレーム２３の中心軸Ｃと一致するように配置されている。従って、ローラー２９は、アタッチメント２１の中心軸Ｃを回転軸として回転自在に支持されている。
【００６１】
ローラー２９の壁部２９ｂには、図８に示すように、内部筐体２７の壁部２７ｄを挟んでアタッチメント２１の永久磁石２５に略対向する位置に、同様に一対の永久磁石（第１の磁性部材）３０がはめ込まれている。従って、これら一対の永久磁石３０は、ローラー２９の回転軸Ｄ（図７参照）を中心として点対称となる位置に設けられている。
【００６２】
なお、アタッチメント２１に設けられた永久磁石２５とローラー２９に設けられた永久磁石３０とは、内部筐体２７の壁部２７ｄを挟んで対向した際に、壁部２７ｄに接する面の磁極が互いに異なるように配置されている。
【００６３】
内部筐体２７の図７及び図８において上部にはモーターフレーム３１が設けられている。モーターフレーム３１は、略円板状の本体３１ａと、この本体３１ａの下部に突設された略円筒状の挿入部３１ｂとを有する。本体３１ａは内部筐体２７の上部に形成されたフランジ部２７ｂの内方にはまり込む寸法に形成されている。これら内部筐体２７のフランジ部２７ｂとモーターフレーム３１の本体３１ａとがネジ止めされることで相互の位置関係が固定されている。
【００６４】
モーターフレーム３１の挿入部３１ｂは、ローラー２９の本体２９ａの内面にほぼはまり込む大きさに形成されている。そして、挿入部３１ｂがローラー２９の本体２９ａ内に挿入された状態で、内部筐体２７とモーターフレーム３１とがネジ止めされている。これにより、ローラー２９の本体２９ａが、内部筐体２７の本体２７ａとモーターフレーム３１の挿入部３１ｂとに挟み込まれてその回転軸Ｄが略固定されている（図８参照）。
【００６５】
モーターフレーム３１の本体３１ａには、上部が開放された箱状の支持部３１ｃが、挿入部３１ｂの内方に形成されている。モーター３２は、その回転軸３２ａが下方にくるように、この支持部３１ｃに挿入されて固定されている。図８に示すように、ローラー２９の壁部２９ｂの中央部には貫通孔が形成され、モーター３２の回転軸３２ａはこの貫通孔にはめ込まれている。これにより、モーター３２の回転駆動力がローラー２９に伝達される。
【００６６】
モーター３２には、図略の電源ケーブルを介して駆動電力が供給され、これによりモーター３２が回転駆動される。ここで、モーター３２及びローラー２９により本実施例の駆動部が構成されている。
【００６７】
カップ２６の上部には、プラスチック等の硬質部材からなるアウターケース３３が被せられている。
＜第２実施例の動作及び効果＞
【００６８】
以上説明した本実施例のマッサージ装置２０は、アタッチメント２１を装置本体３のカップ２６に形成された収納空間Ｓ内に挿入すると、アタッチメント２１の永久磁石２５とローラー２９の永久磁石３０とが互いの磁力により引き合い、図８に示すように、ローラー２９の回転軸Ｄとアタッチメント２１の中心軸Ｃとが一致する位置で、アタッチメント２１がカップ２６の収納空間Ｓ内に収納される。従って、アタッチメント２１は、カップ２６内に収納された状態で、中心軸Ｃ（これはローラー２９の回転軸Ｄと一致している）回りに回転可能に支持されている。従って、アタッチメント２１の中心軸Ｄはこのアタッチメント２１の回転軸でもある。
【００６９】
そして、この状態で、電源ケーブルを介してモーター３２に駆動電力を供給すると、モーター３２の回転軸３２ａが回転駆動され、この回転駆動力がローラー２９に伝達され、このローラー２９が回転軸Ｄを中心に回転される。ローラー２９とアタッチメント２１とは磁力により互いに引き合っているので、ローラー２９が回転されるとこれに連れてアタッチメント２１も回転軸Ｃを中心に回転される。これにより、モーター３２の回転駆動力がアタッチメント２１に伝達され、アタッチメント２１がカップ２６内において回転される。
【００７０】
この際、アタッチメント２１の本体２４、特に突起部２４ｂを人体に当接していれば、アタッチメント２１が回転されることで突起部２４ｂにより人体に所定のマッサージを行うことができる。
【００７１】
マッサージ装置１によるマッサージが終了したら、ユーザーがアタッチメント２１をカップ２６から引き抜く力を加えると、アタッチメント２１とローラー２９とは磁力により引き合っているだけであるから、アタッチメント２１を装置本体２２から容易に取り出すことができる。加えて、カップ２６の収納空間Ｓに面する側のローラー２９の壁部２９ｂ、及びアタッチメント２１のフレーム２３の上面には大きな突起物もないので、カップ２６の内部、及びアタッチメント２１を容易に洗浄することができる。
【００７２】
従って、本実施例のマッサージ装置２０によっても、上述した第１実施例のマッサージ装置１と同様の効果を得ることができる。
【００７３】
ここで、アタッチメント２１が、永久磁石２５が設けられたフレーム２３と、このフレーム２３から回転軸Ｃに沿った方向に向かって突出する突起部２４ｂとを有するので、この突起部２４ｂにより十分なマッサージ効果が得られるとともに、突起部２４ｂに永久磁石２５を設けずに済むことから、この突起部２４ｂに柔軟な部材を使用することが可能になる。これにより、マッサージ装置１としての機能をさらに維持したまま、アタッチメント２１及び装置本体２２の洗浄を簡易に行え、かつ、十分な洗浄を行うことができる。
【００７４】
（その他）
本発明のマッサージ装置は、その細部が上述の各実施例に限定されず、本発明の要旨を変更しない範囲で適宜変更が可能である。一例として、回転体の形状、構造は各実施例のそれ（羽根部材２、アタッチメント２１）に限定されず、種々の変形が可能である。
【符号の説明】
【００７５】
１、２０  マッサージ装置
２    羽根部材（回転体）
３、２２  装置本体
４    本体部（軸部）
５    羽根部
６、２５  永久磁石（第１の磁性部材）
７    摩擦低減シート（摩擦低減剤）
８    内部筐体（収納部）
９    ギア（駆動回転部）
１０、３２  モーター（回転駆動部）
１１、３０  永久磁石（第２の磁性部材）
２１    アタッチメント（回転体）
２４ｂ  突起部
２６    カップ（収納部）
２９    ローラー（駆動回転部）
Ａ、Ｃ    回転軸（中心軸）
Ｂ、Ｄ    回転軸
Ｓ    収納空間
【図１】
2018175245.tif 000003
【図２】
2018175245.tif 000004
【図３】
2018175245.tif 000005
【図４】
2018175245.tif 000006
【図５】
2018175245.tif 000007
【図６】
2018175245.tif 000008
【図７】
2018175245.tif 000009
【図８】
2018175245.tif 000010